(57)【要約】【課題】発電電力量等のグラフを、簡素化された視覚的かつ感覚的な操作によって、年間表示から月間表示及び日間表示に切り換えることができる表示装置を提供する。【解決手段】太陽光で発電し、商用交流系統と連携して売電及び買電を行う太陽光発電システムから送信された発電電力等を示す情報を受信する受信部と、各年、各月及び各日の発電電力量等を算出する年間電力量算出部、月間電力量算出部及び日間電力量算出部と、各年の電力量を示すグラフを表示する第１グラフ表示部と、前記グラフにおける各年に対応する所定領域の操作を検出する第１操作検出部と、操作された所定領域に対応する年における各月の発電電力量等を示すグラフを表示する第２グラフ表示部と、前記グラフにおける各月に対応する所定領域の操作を検出する第２操作検出部と、操作された所定領域に対応する月における各日の発電電力量等を示すグラフを表示する第３グラフ表示部とを備える。【選択図】図１
2014166077.tif 000002
【特許請求の範囲】
【請求項１】
太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信する受信部と、
該受信部が受信した情報に基づいて、各年の発電電力量、前記負荷における消費電力量、売電電力量又は買電電力量を算出する年間電力量算出部と、
前記受信部が受信した情報に基づいて、各月の発電電力量、消費電力量、売電電力量又は買電電力量を算出する月間電力量算出部と、
前記受信部が受信した情報に基づいて、各日の発電電力量、消費電力量、売電電力量又は買電電力量を算出する日間電力量算出部と、
各年の電力量を示すグラフを表示する第１グラフ表示部と、
前記グラフにおける各年に対応する所定領域の操作を検出する第１操作検出部と、
該第１操作検出部が操作を検出した場合、操作された所定領域に対応する年における各月の発電電力量、消費電力量、売電電力量又は買電電力量を示すグラフを表示する第２グラフ表示部と、
前記グラフにおける各月に対応する所定領域の操作を検出する第２操作検出部と、
該第２操作検出部が操作を検出した場合、操作された所定領域に対応する月における各日の発電電力量、消費電力量、売電電力量又は買電電力量を示すグラフを表示する第３グラフ表示部と
を備える表示装置。
【請求項２】
太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信する受信部と、
該受信部が受信した情報に基づいて、各年の電力量を示すグラフを表示する第１グラフ表示部と、
前記グラフにおける各年に対応する所定領域の操作を検出する第１操作検出部と、
該第１操作検出部が操作を検出した場合、前記受信部が受信した情報に基づいて、操作された所定領域に対応する年における各月の発電電力量、消費電力量、売電電力量又は買電電力量を示すグラフを表示する第２グラフ表示部と、
前記グラフにおける各月に対応する所定領域の操作を検出する第２操作検出部と、
該第２操作検出部が操作を検出した場合、前記受信部が受信した情報に基づいて、操作された所定領域に対応する月における各日の発電電力量、消費電力量、売電電力量又は買電電力量を示すグラフを表示する第３グラフ表示部と
を備える表示装置。
【請求項３】
戻り操作画像を各グラフと共の表示する戻り操作画像表示部と、
前記戻り操作画像の操作を検出する第４操作検出部と
を備え、
前記第２グラフ表示部は、各日の電力量に係るグラフを表示しているときに前記第４操作検出部が操作を検出した場合、各月の電力量を示すグラフを表示し、前記第１グラフ表示部は、各月の電力量に係るグラフを表示しているときに前記第４操作検出部が操作を検出した場合、各年の電力量を示すグラフを表示する
請求項１又は請求項２に記載の表示装置。
【請求項４】
各年、各月及び各日の発電電力量、消費電力量、売電電力量又は買電電力量の平均値を算出する平均値算出部と、
各年、各月及び各日の電力量を示すグラフそれぞれに各年、各月及び各日の前記平均値又は該平均値を示す線分を表示する平均値表示部と
を備える請求項１から請求項３までのいずれか一つに記載の表示装置。
【請求項５】
太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信し、
受信した情報に基づいて、各年、各月及び各日の発電電力量、前記負荷における消費電力量、売電電力量又は買電電力量を算出し、
各年の電力量を示すグラフを表示し、
前記グラフにおける各年に対応する所定領域の操作を検出し、
各年に対応する前記所定領域の操作を検出した場合、操作された所定領域に対応する年における各月の発電電力量、消費電力量、売電電力量又は買電電力量を示すグラフを表示し、
前記グラフにおける各月に対応する所定領域の操作を検出し、
各月に対応する前記所定領域の操作を検出した場合、操作された所定領域に対応する月における各日の発電電力量、消費電力量、売電電力量又は買電電力量を示すグラフを表示する
表示方法。
【請求項６】
太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信し、
受信した情報に基づいて、各年の電力量を示すグラフを表示し、
前記グラフにおける各年に対応する所定領域の操作を検出し、
各年に対応する前記所定領域の操作を検出した場合、操作された所定領域に対応する年における各月の発電電力量、消費電力量、売電電力量又は買電電力量を示すグラフを表示し、
前記グラフにおける各月に対応する所定領域の操作を検出し、
各月に対応する前記所定領域の操作を検出した場合、操作された所定領域に対応する月における各日の発電電力量、消費電力量、売電電力量又は買電電力量を示すグラフを表示する
表示方法。
【請求項７】
太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信するコンピュータを、
受信した情報に基づいて、各年の発電電力量、前記負荷における消費電力量、売電電力量又は買電電力量を算出する年間電力量算出部、
受信した情報に基づいて、各月の発電電力量、消費電力量、売電電力量又は買電電力量を算出する月間電力量算出部、
受信した情報に基づいて、各日の発電電力量、消費電力量、売電電力量又は買電電力量を算出する日間電力量算出部、
各年の電力量を示すグラフを生成する第１グラフ生成部、
前記グラフにおける各年に対応する所定領域が操作されたか否かを判定する第１操作判定部、
該第１操作判定部が操作されたと判定した場合、操作された所定領域に対応する年における各月の発電電力量、消費電力量、売電電力量又は買電電力量を示すグラフを生成する第２グラフ生成部、
前記グラフにおける各月に対応する所定領域が操作されたか否かを判定する第２操作判定部、及び
該第２操作判定部が操作されたと判定した場合、操作された所定領域に対応する月における各日の発電電力量、消費電力量、売電電力量又は買電電力量を示すグラフを生成する第３グラフ生成部
として機能させるコンピュータプログラム。
【請求項８】
太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信するコンピュータを、
受信した情報に基づいて、各年の電力量を示すグラフを生成する第１グラフ生成部、
前記グラフにおける各年に対応する所定領域が操作されたか否かを判定する第１操作判定部、
該第１操作判定部が操作されたと判定した場合、受信した情報に基づいて、操作された所定領域に対応する年における各月の発電電力量、消費電力量、売電電力量又は買電電力量を示すグラフを生成する第２グラフ生成部、
前記グラフにおける各月に対応する所定領域が操作されたか否かを判定する第２操作判定部、及び
該第２操作判定部が操作されたと判定した場合、受信した情報に基づいて、操作された所定領域に対応する月における各日の発電電力量、消費電力量、売電電力量又は買電電力量を示すグラフを生成する第３グラフ生成部
として機能させるコンピュータプログラム。
【発明の詳細な説明】
【技術分野】
【０００１】
本発明は太陽光発電システムの稼働状況を表示する表示装置、表示方法及びコンピュータプログラムに関する。
【背景技術】
【０００２】
太陽光で発電し、宅内負荷に接続された商用交流系統と連携して余剰電力の売電及び不足電力の買電を行う太陽光発電システムが実用化されている。太陽光発電システムは、システムの稼働状況を監視するための表示装置を備える。特許文献１には、特定基本情報を表示するある一つの基本画面から他の特定基本情報を表示する他の基本画面に切り替える際、従来のように、いちいちメニュー画面に戻ることなく、エネルギー機器の稼動に関連した異なる特定基本情報を表示する３つ以上の基本画面を効率よく切り替えて利用者に対して表示することが可能な表示装置が開示されている。また、前記表示装置は、その日の時間毎の発電量、電力消費量をそれぞれ棒グラフとして表示する。過去の発電電力量、消費電力量、前日との比較、月間の発電電力量、消費電力量を確認したい場合、表示装置の太陽光モニター画面に設けられた詳細画面切替部を操作することで、これらの詳細情報を個別に表示することができる。
【０００３】
一方、特許文献２には、測定値の大きさを棒グラフで表示する棒グラフ表示装置において、棒グラフの表示画面に、棒グラフの端部近傍を拡大して表示する拡大表示部を設けた装置が開示されている。
【先行技術文献】
【特許文献】
【０００４】
【特許文献１】特開２００８−１６１０３７号公報
【特許文献２】特開２０１０−２０３９５６号公報
【発明の概要】
【発明が解決しようとする課題】
【０００５】
しかしながら、従来の表示装置において発電電力量、消費電力量又は売電電力量の棒グラフを年間表示、月間表示又は日間表示に切り換えるには、表示装置に設けられた左右の矢印ボタン、決定ボタンを操作して表示する棒グラフを切り換える構成である。このため、所望の情報を得るためには矢印ボタン、決定ボタンを多数操作する必要があり、操作性に欠けるという問題があった。
【０００６】
本願発明は斯かる事情に鑑みてなされたものであり、その目的は発電電力量、消費電力量又は売買電力量のグラフを、簡素化された視覚的かつ感覚的な操作によって、年間表示から月間表示及び日間表示に切り換えることができる表示装置、表示方法及びコンピュータプログラムを提供することにある。
【課題を解決するための手段】
【０００７】
本願発明は、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信する受信部と、該受信部が受信した情報に基づいて、各年の発電電力量、前記負荷における消費電力量、売電電力量又は買電電力量を算出する年間電力量算出部と、前記受信部が受信した情報に基づいて、各月の発電電力量、消費電力量、売電電力量又は買電電力量を算出する月間電力量算出部と、前記受信部が受信した情報に基づいて、各日の発電電力量、消費電力量、売電電力量又は買電電力量を算出する日間電力量算出部と、各年の電力量を示すグラフを表示する第１グラフ表示部と、前記グラフにおける各年に対応する所定領域の操作を検出する第１操作検出部と、該第１操作検出部が操作を検出した場合、操作された所定領域に対応する年における各月の発電電力量、消費電力量、売電電力量又は買電電力量を示すグラフを表示する第２グラフ表示部と、前記グラフにおける各月に対応する所定領域の操作を検出する第２操作検出部と、該第２操作検出部が操作を検出した場合、操作された所定領域に対応する月における各日の発電電力量、消費電力量、売電電力量又は買電電力量を示すグラフを表示する第３グラフ表示部とを備える表示装置である。
【０００８】
本願発明は、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信する受信部と、該受信部が受信した情報に基づいて、各年の電力量を示すグラフを表示する第１グラフ表示部と、前記グラフにおける各年に対応する所定領域の操作を検出する第１操作検出部と、該第１操作検出部が操作を検出した場合、前記受信部が受信した情報に基づいて、操作された所定領域に対応する年における各月の発電電力量、消費電力量、売電電力量又は買電電力量を示すグラフを表示する第２グラフ表示部と、前記グラフにおける各月に対応する所定領域の操作を検出する第２操作検出部と、該第２操作検出部が操作を検出した場合、前記受信部が受信した情報に基づいて、操作された所定領域に対応する月における各日の発電電力量、消費電力量、売電電力量又は買電電力量を示すグラフを表示する第３グラフ表示部とを備える表示装置である。
【０００９】
本願発明は、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信し、受信した情報に基づいて、各年、各月及び各日の発電電力量、前記負荷における消費電力量、売電電力量又は買電電力量を算出し、各年の電力量を示すグラフを表示し、前記グラフにおける各年に対応する所定領域の操作を検出し、各年に対応する前記所定領域の操作を検出した場合、操作された所定領域に対応する年における各月の発電電力量、消費電力量、売電電力量又は買電電力量を示すグラフを表示し、前記グラフにおける各月に対応する所定領域の操作を検出し、各月に対応する前記所定領域の操作を検出した場合、操作された所定領域に対応する月における各日の発電電力量、消費電力量、売電電力量又は買電電力量を示すグラフを表示する表示方法である。
【００１０】
本願発明は、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信し、受信した情報に基づいて、各年の電力量を示すグラフを表示し、前記グラフにおける各年に対応する所定領域の操作を検出し、各年に対応する前記所定領域の操作を検出した場合、操作された所定領域に対応する年における各月の発電電力量、消費電力量、売電電力量又は買電電力量を示すグラフを表示し、前記グラフにおける各月に対応する所定領域の操作を検出し、各月に対応する前記所定領域の操作を検出した場合、操作された所定領域に対応する月における各日の発電電力量、消費電力量、売電電力量又は買電電力量を示すグラフを表示する表示方法である。
【００１１】
本願発明は、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信するコンピュータを、受信した情報に基づいて、各年の発電電力量、前記負荷における消費電力量、売電電力量又は買電電力量を算出する年間電力量算出部、受信した情報に基づいて、各月の発電電力量、消費電力量、売電電力量又は買電電力量を算出する月間電力量算出部、受信した情報に基づいて、各日の発電電力量、消費電力量、売電電力量又は買電電力量を算出する日間電力量算出部、各年の電力量を示すグラフを生成する第１グラフ生成部、前記グラフにおける各年に対応する所定領域が操作されたか否かを判定する第１操作判定部、該第１操作判定部が操作されたと判定した場合、操作された所定領域に対応する年における各月の発電電力量、消費電力量、売電電力量又は買電電力量を示すグラフを生成する第２グラフ生成部、前記グラフにおける各月に対応する所定領域が操作されたか否かを判定する第２操作判定部、及び該第２操作判定部が操作されたと判定した場合、操作された所定領域に対応する月における各日の発電電力量、消費電力量、売電電力量又は買電電力量を示すグラフを生成する第３グラフ生成部として機能させるコンピュータプログラムである。
【００１２】
本願発明は、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信するコンピュータを、受信した情報に基づいて、各年の電力量を示すグラフを生成する第１グラフ生成部、前記グラフにおける各年に対応する所定領域が操作されたか否かを判定する第１操作判定部、該第１操作判定部が操作されたと判定した場合、受信した情報に基づいて、操作された所定領域に対応する年における各月の発電電力量、消費電力量、売電電力量又は買電電力量を示すグラフを生成する第２グラフ生成部、前記グラフにおける各月に対応する所定領域が操作されたか否かを判定する第２操作判定部、及び該第２操作判定部が操作されたと判定した場合、受信した情報に基づいて、操作された所定領域に対応する月における各日の発電電力量、消費電力量、売電電力量又は買電電力量を示すグラフを生成する第３グラフ生成部として機能させるコンピュータプログラムである。
【発明の効果】
【００１３】
本発明によれば、発電電力量、消費電力量又は売買電力量のグラフを、簡素化された視覚的かつ感覚的な操作によって、年間表示から月間表示及び日間表示に切り換えることができる。
【図面の簡単な説明】
【００１４】
【図１】太陽光発電システムを示す概念図である。
【図２】表示装置の一構成例を示すブロック図である。
【図３】稼働状況の表示に係る制御部の処理手順を示すフローチャートである。
【図４】発電量の表示に係る制御部の処理手順を示すフローチャートである。
【図５】発電量の表示に係る制御部の処理手順を示すフローチャートである。
【図６】年間発電量棒グラフの一例を示す模式図である。
【図７】月間発電量棒グラフの一例を示す模式図である。
【図８】日間発電量棒グラフの一例を示す模式図である。
【発明を実施するための形態】
【００１５】
［本願発明の実施形態の説明］
最初に本願発明の実施形態の内容を列記して説明する。
（１）実施形態に係る表示装置は、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信する受信部と、該受信部が受信した情報に基づいて、各年の発電電力量、前記負荷における消費電力量、売電電力量又は買電電力量を算出する年間電力量算出部と、前記受信部が受信した情報に基づいて、各月の発電電力量、消費電力量、売電電力量又は買電電力量を算出する月間電力量算出部と、前記受信部が受信した情報に基づいて、各日の発電電力量、消費電力量、売電電力量又は買電電力量を算出する日間電力量算出部と、各年の電力量を示すグラフを表示する第１グラフ表示部と、前記グラフにおける各年に対応する所定領域の操作を検出する第１操作検出部と、該第１操作検出部が操作を検出した場合、操作された所定領域に対応する年における各月の発電電力量、消費電力量、売電電力量又は買電電力量を示すグラフを表示する第２グラフ表示部と、前記グラフにおける各月に対応する所定領域の操作を検出する第２操作検出部と、該第２操作検出部が操作を検出した場合、操作された所定領域に対応する月における各日の発電電力量、消費電力量、売電電力量又は買電電力量を示すグラフを表示する第３グラフ表示部とを備える。
（２）実施形態に係る表示装置は、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信する受信部と、該受信部が受信した情報に基づいて、各年の電力量を示すグラフを表示する第１グラフ表示部と、前記グラフにおける各年に対応する所定領域の操作を検出する第１操作検出部と、該第１操作検出部が操作を検出した場合、前記受信部が受信した情報に基づいて、操作された所定領域に対応する年における各月の発電電力量、消費電力量、売電電力量又は買電電力量を示すグラフを表示する第２グラフ表示部と、前記グラフにおける各月に対応する所定領域の操作を検出する第２操作検出部と、該第２操作検出部が操作を検出した場合、前記受信部が受信した情報に基づいて、操作された所定領域に対応する月における各日の発電電力量、消費電力量、売電電力量又は買電電力量を示すグラフを表示する第３グラフ表示部とを備える。
【００１６】
本実施形態にあっては、発電電力量、消費電力量、売電電力量又は買電電力量が年間表示されたグラフで、各年に対応する所定領域を操作することによって、対応する年における各種電力量を月間表示することができる。つまり、各種電力量の各年に対応する所定領域を操作することにより、各種電力量の年間表示を、特定の年における月間表示に切り換えることができる。同様にして、各種電力量の各月に対応する所定領域を操作することにより、各種電力量の月間表示を、特定の月における日間表示に切り換えることができる。
従って、発電電力量、消費電力量又は売買電力量のグラフを、簡素化された視覚的かつ感覚的な操作によって、年間表示から月間表示及び日間表示に切り換えることができる。
【００１７】
（３）実施形態に係る表示装置は、戻り操作画像を各グラフと共の表示する戻り操作画像表示部と、前記戻り操作画像の操作を検出する第４操作検出部とを備え、前記第２グラフ表示部は、各日の電力量に係るグラフを表示しているときに前記第４操作検出部が操作を検出した場合、各月の電力量を示すグラフを表示し、前記第１グラフ表示部は、各月の電力量に係るグラフを表示しているときに前記第４操作検出部が操作を検出した場合、各年の電力量を示すグラフを表示する。
【００１８】
本実施形態にあっては、戻り操作画像を操作することによって、発電電力量、消費電力量又は売買電力量のグラフを、簡素化された視覚的かつ感覚的な操作によって、日間表示から月間表示及び年間表示に切り換えることができる。
【００１９】
（４）実施形態に係る表示装置は、各年、各月及び各日の発電電力量、消費電力量、売電電力量又は買電電力量の平均値を算出する平均値算出部と、各年、各月及び各日の電力量を示すグラフそれぞれに各年、各月及び各日の前記平均値又は該平均値を示す線分を表示する平均値表示部とを備える。
【００２０】
本実施形態にあっては、年間表示、月間表示、日間表示された発電電力量、消費電力量又は売買電力量のグラフに、各電力量の平均値又は該平均値を示す線分が表示されるため、年間、月間、日間を通じての各種電力量の平均値と、ある時点における各種電力量との比較を容易に行うことが可能になる。平均値との比較を行うことにより、特定のある時点における節電の度合い、発電電力の大小が感覚的に分かり、節電と環境負荷低減への貢献を意識付けることが可能になる。
【００２１】
（５）実施形態に係る表示方法は、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信し、受信した情報に基づいて、各年、各月及び各日の発電電力量、前記負荷における消費電力量、売電電力量又は買電電力量を算出し、各年の電力量を示すグラフを表示し、前記グラフにおける各年に対応する所定領域の操作を検出し、各年に対応する前記所定領域の操作を検出した場合、操作された所定領域に対応する年における各月の発電電力量、消費電力量、売電電力量又は買電電力量を示すグラフを表示し、前記グラフにおける各月に対応する所定領域の操作を検出し、各月に対応する前記所定領域の操作を検出した場合、操作された所定領域に対応する月における各日の発電電力量、消費電力量、売電電力量又は買電電力量を示すグラフを表示する。
（６）実施形態に係る表示方法は、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信し、受信した情報に基づいて、各年の電力量を示すグラフを表示し、前記グラフにおける各年に対応する所定領域の操作を検出し、各年に対応する前記所定領域の操作を検出した場合、操作された所定領域に対応する年における各月の発電電力量、消費電力量、売電電力量又は買電電力量を示すグラフを表示し、前記グラフにおける各月に対応する所定領域の操作を検出し、各月に対応する前記所定領域の操作を検出した場合、操作された所定領域に対応する月における各日の発電電力量、消費電力量、売電電力量又は買電電力量を示すグラフを表示する。
（７）実施形態に係るコンピュータプログラムは、太陽光で発電し、負荷に接続された商用交流系統と連携して余剰電力の売電及び不足電力の買電を行う太陽光発電システムから送信された発電電力及び売買電力、並びに該発電電力及び売買電力が計測された年月日を示す情報を受信するコンピュータを、受信した情報に基づいて、各年の発電電力量、前記負荷における消費電力量、売電電力量又は買電電力量を算出する年間電力量算出部、受信した情報に基づいて、各月の発電電力量、消費電力量、売電電力量又は買電電力量を算出する月間電力量算出部、受信した情報に基づいて、各日の発電電力量、消費電力量、売電電力量又は買電電力量を算出する日間電力量算出部、各年の電力量を示すグラフを生成する第１グラフ生成部、前記グラフにおける各年に対応する所定領域が操作されたか否かを判定する第１操作判定部、該第１操作判定部が操作されたと判定した場合、操作された所定領域に対応する年における各月の発電電力量、消費電力量、売電電力量又は買電電力量を示すグラフを生成する第２グラフ生成部、前記グラフにおける各月に対応する所定領域が操作されたか否かを判定する第２操作判定部、及び該第２操作判定部が操作されたと判定した場合、操作された所定領域に対応する月における各日の発電電力量、消費電力量、売電電力量又は買電電力量を示すグラフを生成する第３グラフ生成部として機能させる。
（８）実施形態に係るコンピュータプログラムは、太陽光で発電し、負荷に接続された商用交流系統と連携して余剰電力の売電及び不足電力の買電を行う太陽光発電システムから送信された各年、各月及び各日の発電電力量、前記負荷における消費電力量、売電電力量又は買電電力量を示す情報を受信するコンピュータを、受信した情報に基づいて、各年の電力量を示すグラフを生成する第１グラフ生成部、前記グラフにおける各年に対応する所定領域が操作されたか否かを判定する第１操作判定部、該第１操作判定部が操作されたと判定した場合、受信した情報に基づいて、操作された所定領域に対応する年における各月の発電電力量、消費電力量、売電電力量又は買電電力量を示すグラフを生成する第２グラフ生成部、前記グラフにおける各月に対応する所定領域が操作されたか否かを判定する第２操作判定部、及び該第２操作判定部が操作されたと判定した場合、受信した情報に基づいて、操作された所定領域に対応する月における各日の発電電力量、消費電力量、売電電力量又は買電電力量を示すグラフを生成する第３グラフ生成部として機能させる。
本実施形態にあっては、上述の表示装置と同様の作用を奏する。
【００２２】
［本願発明の実施形態の詳細］
以下、本発明をその実施形態を示す図面に基づいて詳述する。
図１は太陽光発電システム１を示す概念図である。太陽光発電システム１は、太陽光発電パネル１１を備え、宅内負荷３に接続された商用交流系統２と連携して余剰電力の売電及び不足電力の買電を行うシステムである。太陽光発電パネル１１は、直列接続された複数の太陽電池モジュールからなるストリングを複数有する。複数のストリングは接続箱１２に並列的に接続され、太陽光発電パネル１１で発電した直流電力が接続箱１２に入力する。
【００２３】
接続箱１２は太陽光発電パネル１１の各ストリングから出力された直流電力を集約し、集約された直流電力をパワーコンディショナ１３へ出力する。
【００２４】
パワーコンディショナ１３は接続箱１２から出力された直流電力を、２００Ｖの交流電力に変換し、変換した交流電力を分電盤１４へ出力する。またパワーコンディショナ１３は、分電盤１４へ出力する交流電力を計測しており、計測して得た交流電力を示す情報を計測部１５へ送信する。
【００２５】
分電盤１４には、電力量計１６を介して商用交流系統２が接続されている。また、分電盤１４には照明器具、空調機、オーディオ機器等の宅内負荷３が接続されており、パワーコンディショナ１３から出力された交流電力が宅内負荷３に供給されるように構成されている。パワーコンディショナ１３から出力される交流電力が、宅内負荷３における消費電力量を超えている場合、余剰電力が電力量計１６を経由して商用交流系統２に供給される。つまり余剰電力の売電が行われる。パワーコンディショナ１３から出力される交流電力が、宅内負荷３における消費電力量未満である場合、商用交流系統２から電力量計１６及び分電盤１４を経由して不足電力が宅内負荷３に供給される。つまり不足電力の買電が行われる。
【００２６】
また、分電盤１４には計測部１５が設けられている。計測部１５は商用交流系統２から分電盤１４に入出力する交流電力を計測する。計測部１５は、例えば、カレントトランス等の電流計、及び電圧計を備えており、該電流計及び電圧計が検出した電流及び電圧に基づいて、商用交流系統２から分電盤１４に入出力する交流電力を算出する。また、パワーコンディショナ１３から送信された交流電力の情報を受信する。そして、計測部１５は、受信した情報が示す交流電力から、分電盤１４に入出力する交流電力を減算することによって、宅内負荷３へ供給される交流電力を算出する。なお、ここでは分電盤１４から商用交流系統２へ出力する交流電力を正の値、商用交流系統２から分電盤１４に入力する交流電力を負の値としている。以下、パワーコンディショナ１３から供給される交流電力を発電電力、宅内負荷３へ供給される交流電力を消費電力、商用交流系統２から分電盤１４に入出力する交流電力を売買電力と言う。また、特に商用交流系統２に供給される余剰電力を売電電力、商用交流系統２から分電盤１４を介して宅内負荷３へ供給される電力を買電電力という。なお、計測部１５における消費電力の算出は必須では無く、表示装置４側で行っても良い。
また、計測部１５は、時計及び記憶部を備えており、発電電力、消費電力及び売買電力を示す情報を、各電力を計測ないし算出した年月日及び時刻と共に前記記憶部に記憶させる。更に、計測部１５は、記憶部が記憶する発電電力、消費電力及び売買電力、並びに年月日に基づいて、各年、各月、各年の発電電力量、消費電力量及び売買電力量を算出し、前記記憶部に記憶させる。
また、計測部１５には、発電電力及び売買電力並びに年月日及び時刻を示す情報を無線又は有線で表示装置４へ送信する送信機が設けられている。また、送信機は各年、各月、各年の発電電力量、消費電力量及び売買電力量を適宜のタイミングで表示装置４へ送信する。なお、消費電力の記憶及び送信は必須では無い。また、計測部１５における発電電力量、消費電力量及び売買電力量の算出は必須では無く、表示装置４側で行っても良い。以下、前記情報を無線で送信する場合を例にして説明する。
【００２７】
図２は表示装置４の一構成例を示すブロック図である。表示装置４は、例えば、該表示装置４の各構成部の動作を制御するＣＰＵ（Central Processing Unit）等の制御部４１を備えたコンピュータである。具体的には、表示装置４は、例えばスマートフォン、タブレット端末、携帯型のコンピュータ、携帯型のゲーム機、携帯電話機等である。制御部４１には、バスを介して、ＲＯＭ４２、ＲＡＭ４３、通信部４４、記憶部４５、時計部（年月日特定部）４６、表示部４７及び操作部４８が接続されている。
【００２８】
ＲＯＭ４２は、ＥＥＰＲＯＭ（Electrically Erasable Programmable ROM）等の不揮発性メモリであり、コンピュータの初期動作に必要な制御プログラムを記憶している。
【００２９】
ＲＡＭ４３は、ＤＲＡＭ（Dynamic RAM）、ＳＲＡＭ（Static RAM）等のメモリであり、制御部４１の演算処理を実行する際にＲＯＭ４２及び記憶部４５から読み出された制御プログラム及び後述のコンピュータプログラム５ａ、又は制御部４１の演算処理によって生ずる各種データを一時記憶する。
【００３０】
通信部４４は、太陽光発電システム１から送信された情報を受信するためのインタフェースであり、通信部４４による各種情報の受信は制御部４１によって制御される。
【００３１】
記憶部４５は、ハードディスクドライブ、ソリッドステートドライブ等の読み出しが可能なディスクドライブ、及び可搬式の記録媒体５からデータの読み出しが可能なＣＤ−ＲＯＭドライブ等の装置である。記憶部４５は、域内で消費される電力を分析するためのコンピュータプログラム５ａを記憶している。コンピュータプログラム５ａは、コンピュータ読み取り可能に記録された可搬式メディアであるＣＤ（Compact Disc）−ＲＯＭ、ＤＶＤ（Digital Versatile Disc）−ＲＯＭ、ＢＤ（Blu-ray Disc）等の記録媒体５を介すなどしてハードディスクドライブ、ソリッドステートドライブ等に記録されている。なお、光ディスクは、記録媒体５の一例であり、フレキシブルディスク、磁気光ディスク、外付けハードディスク、半導体メモリ等にコンピュータプログラム５ａをコンピュータ読み取り可能に記録しても良い。また、通信網Ｎに接続されている図示しない外部コンピュータから本実施形態に係るコンピュータプログラム５ａをダウンロードするようにしても良い。
制御部４１は、コンピュータプログラム５ａが記録された記録媒体５又は記憶部４５から、コンピュータプログラム５ａをＲＡＭ４３に読み出し、実行することにより、コンピュータを表示装置４として機能させる。
【００３２】
時計部４６は、年月日及び時刻を計時しており、制御部４１は該時計部４６から現在の年月日及び時刻などの時間情報を取得することができる。
【００３３】
表示部４７は、液晶ディスプレイ、有機ＥＬディスプレイ、電子ペーパ等の表示装置４である。
【００３４】
操作部４８は、表示部４７に対する指の接触による静電容量又は電気容量の変化によって、指の接触位置を検出するタッチセンサである。なお、タッチセンサは操作部４８の一例であり、マウス、タッチペン等のポインティングデバイス、各種キーであっても良い。
【００３５】
図３は稼働状況の表示に係る制御部４１の処理手順を示すフローチャートである。制御部４１は、太陽光発電システム１の計測部１５から送信された電力情報を通信部４４にて受信する（ステップＳ１１）。電力情報は発電電力及び売買電力並びに年月日及び時刻を示す情報を含む。宅内負荷３における消費電力は、発電電力及び売買電力に基づいて算出することができる。また、計測部１５側で算出された消費電力を受信するようにしても良い。そして、制御部４１は受信した発電電力、消費電力及び売買電力並びに年月日及び時刻を示す情報を記憶部４５に記憶させる（ステップＳ１２）。
【００３６】
次いで、制御部４１は、太陽光発電システム１の稼働状況を示す稼働状況画像を表示部４７に表示させる（ステップＳ１３）。稼働状況画像には、発電電力、消費電力、売買電力、一日の発電電力量、消費電力量等が表示される。また稼働状況画像には、過去の発電電力量及び消費電力量の棒グラフを表示させるための発電量表示ボタン画像が含まれている。
【００３７】
次いで、制御部４１は、発電量表示操作が行われた否かを判定する（ステップＳ１４）。具体的には制御部４１は、操作部４８によるタッチ操作の検出状態を監視しており、発電量表示ボタン画像がタッチ操作されたか否か、つまりタッチ操作された表示部４７における座標位置が発電量表示ボタン画像の表示範囲内にあるか否かを判定する。発電量表示操作が行われていないと判定した場合（ステップＳ１４：ＮＯ）、制御部４１は処理をステップＳ１１へ戻し、稼働状況画像の表示を継続する。発電量表示操作が行われたと判定した場合（ステップＳ１４：ＹＥＳ）、制御部４１は過去の発電量を表示する（ステップＳ１５）。つまり、制御部４１は太陽光発電システム１による過去の発電電力量及び宅内負荷３における消費電力量のグラフ表示を年間、月間又は日間で表示する処理を実行する。以下、具体的に説明する。
【００３８】
図４及び図５は発電量の表示に係る制御部４１の処理手順を示すフローチャートである。制御部４１は記憶部４５が記憶する電力情報及び年月日に基づいて、各年の発電電力量及び消費電力量を算出する（ステップＳ３１）。なお、各年の発電電力量及び消費電力量を算出するために必要な電力情報及び年月日を、本処理を実行する都度、計測部１５に要求し、要求に応じて計測部１５から送信された電力情報及び年月日を表示装置４が受信するように構成しても良い。また、計測部１５側で各年の発電電力量及び消費電力量を記憶している場合、ステップＳ３１の処理で、計測部１５に各年の発電電力量及び消費電力量の情報を要求し、要求に応じて計測部１５から送信された発電電力量及び消費電力量を受信するように構成しても良い。そして、制御部４１はステップＳ３１で算出した発電電力量の平均値及び消費電力量の平均値を算出する（ステップＳ３２）。
【００３９】
次いで、制御部４１はステップＳ３２で算出した平均値及び該平均値を表示する線分を含み、各年の発電電力量及び消費電力量を示す年間発電量棒グラフ６を生成し（ステップＳ３３）、生成した年間発電量棒グラフ６を表示部４７に表示する（ステップＳ３４）。
【００４０】
図６は年間発電量棒グラフ６の一例を示す模式図である。年間発電量棒グラフ６の横軸は年単位の時間を示しており、各年は例えば西暦で表示されている。縦軸は電力量である。図６に示すように、年間発電量棒グラフ６には、各年の年間発電量を示す棒６１と、各年の年間消費電力量を示す棒６１とが横並びで表示されている。また、年間発電量棒グラフ６には、発電電力量の平均値を示す線分６３ａと、消費電力量の平均値を示す線分６４ａとが表示される。更に、発電電力量の平均値を示す数値画像６３と、消費電力量の平均値を示す数値画像６４とがそれぞれ適宜箇所に表示される。年間発電量棒グラフ６の下側には、後述する戻り操作ボタン画像７１、稼働状況表示ボタン画像７２が表示されている。
【００４１】
図４に戻り、制御部４１の処理を説明する。ステップＳ３４の処理を終えた制御部４１は、稼働状況表示操作が行われたか否かを判定する（ステップＳ３５）。具体的には制御部４１は、操作部４８によるタッチ操作の検出状態を監視しており、稼働状況表示ボタン画像７２がタッチ操作されたか否かを判定する。稼働状況表示ボタン画像７２がタッチ操作されたと判定した場合（ステップＳ３５：ＹＥＳ）、制御部４１は発電量表示に係る処理を終える。
【００４２】
稼働状況表示ボタン画像７２の操作が行われていないと判定した場合（ステップＳ３５：ＮＯ）、制御部４１は、操作部４８によるタッチ操作の検出状態を監視し、各年の発電電力量及び消費電力量を示す棒６１を含む所定領域６２がタッチ操作されたか否かを判定する（ステップＳ３６）。該所定領域６２がタッチ操作されていないと判定した場合（ステップＳ３６：ＮＯ）、制御部４１は処理をステップＳ３５へ戻す。前記所定領域６２が操作されたと判定した場合（ステップＳ３６：ＹＥＳ）、制御部４１は、操作された所定領域６２に対応する年における各月の発電電力量及び消費電力量を、記憶部４５が記憶する電力情報及び年月日に基づいて算出する（ステップＳ３７）。なお、各月の発電電力量及び消費電力量を算出するために必要な電力情報及び年月日を、本処理を実行する都度、計測部１５に要求し、要求に応じて計測部１５から送信された電力情報及び年月日を表示装置４が受信するように構成しても良い。また、計測部１５側で各月の発電電力量及び消費電力量を記憶している場合、ステップＳ３７の処理で、計測部１５に各月の発電電力量及び消費電力量の情報を要求し、要求に応じて計測部１５から送信された発電電力量及び消費電力量を受信するように構成しても良い。そして、制御部４１はステップＳ３７で算出した発電電力量の平均値及び消費電力量の平均値を算出する（ステップＳ３８）。
【００４３】
次いで、制御部４１はステップＳ３８で算出した平均値及び該平均値を表示する線分を含み、各月の発電電力量及び消費電力量を示す月間発電量棒グラフ８を生成し（ステップＳ３９）、生成した月間発電量棒グラフ８を表示部４７に表示する（ステップＳ４０）。
【００４４】
図７は月間発電量棒グラフ８の一例を示す模式図である。月間発電量棒グラフ８の横軸は月単位の時間を示しており、縦軸は電力量を示している。図７に示すように、月間発電量棒グラフ８には、各月の月間発電量を示す棒８１と、各月の月間消費電力量を示す棒８１とが横並びで表示されている。また、月間発電量棒グラフ８には、発電電力量の平均値を示す線分８３ａと、消費電力量の平均値を示す線分８４ａとが表示される。更に、発電電力量の平均値を示す数値画像８３と、消費電力量の平均値を示す数値画像８４とがそれぞれ適宜箇所に表示される。月間発電量棒グラフ８の下側には、戻り操作ボタン画像７１、稼働状況表示ボタン画像７２が表示されている。
【００４５】
図４に戻り、制御部４１の処理を説明する。ステップＳ４０の処理を終えた制御部４１は、戻り操作が行われたか否かを判定する（ステップＳ４１）。具体的には制御部４１は、操作部４８によるタッチ操作の検出状態を監視しており、戻り操作ボタン画像７１がタッチ操作されたか否かを判定する。戻り操作ボタン画像７１がタッチ操作されたと判定した場合（ステップＳ４１：ＹＥＳ）、制御部４１は処理をステップＳ３１へ戻し、年間発電量棒グラフ６を表示する。戻り操作ボタン画像７１がタッチ操作されていないと判定した場合（ステップＳ４１：ＮＯ）、制御部４１は、稼働状況表示操作が行われたか否かを判定する（ステップＳ４２）。稼働状況表示ボタン画像７２がタッチ操作されたと判定した場合（ステップＳ４２：ＹＥＳ）、制御部４１は発電量表示に係る処理を終える。
【００４６】
稼働状況表示ボタン画像７２の操作が行われていないと判定した場合（ステップＳ４２：ＮＯ）、図５に示すように制御部４１は、操作部４８によるタッチ操作の検出状態を監視し、各月の発電電力量及び消費電力量を示す棒８１を含む所定領域８２がタッチ操作されたか否かを判定する（ステップＳ４３）。該所定領域８２がタッチ操作されていないと判定した場合（ステップＳ４３：ＮＯ）、制御部４１は処理をステップＳ４１へ戻し、月間発電量棒グラフ８の表示を継続する。前記所定領域８２が操作されたと判定した場合（ステップＳ４３：ＹＥＳ）、制御部４１は、操作された所定領域８２に対応する月における各日の発電電力量及び消費電力量を、記憶部４５が記憶する電力情報及び年月日に基づいて算出する（ステップＳ４４）。なお、各日の発電電力量及び消費電力量を算出するために必要な電力情報及び年月日を、本処理を実行する都度、計測部１５に要求し、要求に応じて計測部１５から送信された電力情報及び年月日を表示装置４が受信するように構成しても良い。また、計測部１５側で各日の発電電力量及び消費電力量を記憶している場合、ステップＳ４４の処理で、計測部１５に各日の発電電力量及び消費電力量の情報を要求し、要求に応じて計測部１５から送信された発電電力量及び消費電力量を受信するように構成しても良い。そして、制御部４１はステップＳ４４で算出した発電電力量の平均値及び消費電力量の平均値を算出する（ステップＳ４５）。
【００４７】
次いで、制御部４１はステップＳ４５で算出した平均値及び該平均値を表示する線分を含み、各日の発電電力量及び消費電力量を示す日間発電量棒グラフ９を生成し（ステップＳ４６）、生成した日間発電量棒グラフ９を表示部４７に表示する（ステップＳ４７）。
【００４８】
図８は日間発電量棒グラフ９の一例を示す模式図である。日間発電量棒グラフ９の横軸は日単位の時間を示しており、縦軸は電力量を示している。横軸に表示される日付は一月の一部、例えば約１０日の期間である。図８に示すように、日間発電量棒グラフ９には、各日の日間発電量を示す棒と、各日の日間消費電力量を示す棒とが横並びで表示されている。また、日間発電量棒グラフ９には、発電電力量の平均値を示す線分９３ａと、消費電力量の平均値を示す線分９４ａとが表示される。更に、発電電力量の平均値を示す数値画像９３と、消費電力量の平均値を示す数値画像９４とがそれぞれ適宜箇所に表示される。日間発電量棒グラフ９の下側には、戻り操作ボタン画像７１、稼働状況表示ボタン画像７２が表示されている。更にまた、日間発電量棒グラフ９の下部にはスクロールバー９５が表示される。スクロールバー９５のドラッグ操作を検出した場合、制御部４１は横軸に表示される日付を変更し、表示されている日付に対応する発電電力量及び消費電力量の棒を表示する。
【００４９】
図５に戻り、制御部４１の処理を説明する。ステップＳ４７の処理を終えた制御部４１は、戻り操作が行われたか否かを判定する（ステップＳ４８）。戻り操作ボタン画像７１がタッチ操作されたと判定した場合（ステップＳ４８：ＹＥＳ）、制御部４１は処理をステップＳ３７へ戻し、月間発電量棒グラフ８を表示する。戻り操作ボタン画像７１がタッチ操作されていないと判定した場合（ステップＳ４８：ＮＯ）、制御部４１は、稼働状況表示操作が行われたか否かを判定する（ステップＳ４９）。稼働状況表示ボタン画像７２がタッチ操作されたと判定した場合（ステップＳ４９：ＹＥＳ）、制御部４１は発電量表示に係る処理を終える。
【００５０】
稼働状況表示ボタン画像７２の操作が行われていないと判定した場合（ステップＳ４９：ＮＯ）、制御部４１は、処理をステップＳ４８に戻し、日間発電量棒グラフ９の表示を継続する。
【００５１】
このように構成された表示装置４、表示方法及びコンピュータプログラムによれば、簡素化された視覚的かつ感覚的な操作によって、年間発電量棒グラフ６を、月間発電量棒グラフ８及び日間発電量棒グラフ９に切り換えることができる。具体的には年間発電量棒グラフ６における特定の年の棒部分をタッチ操作することにより、該特定の年における発電電力量及び消費電力量を月間表示することができる。同様に、月間発電量棒グラフ８における特定の月の棒部分をタッチ操作することにより、該特定の月における発電電力量及び消費電力量を日間表示することができる。
【００５２】
また、戻り操作ボタン画像７１をタッチ操作することにより、日間発電量棒グラフ９を、月間発電量棒グラフ８及び年間発電量棒グラフ６に切り換えることができる。
【００５３】
更に、年間発電量棒グラフ６、月間発電量棒グラフ８及び日間発電量棒グラフ９において、発電電力量及び消費電力量の平均値を数値及び線分で表示することができる。従って、特定の年月日の発電電力量及び消費電力量と、各電力量の平均値との比較を容易に行うことができ、特定のある時点における節電の度合い、発電電力の大小が感覚的に分かり、節電と環境負荷低減への貢献を意識付けることが可能になる。
【００５４】
なお、上述の実施形態では発電電力量及び消費電力量の棒グラフを表示する例を説明したが、売電電力量、買電電力量の棒グラフを表示し、同様の処理手順を実行し、年間表示、月間表示及び日間表示の切り換えを行うように構成しても良い。また、グラフ表示する電力量の組み合わせは特に限定されず、一種類又は三種類以上の電力量をグラフ表示するようにしても良い。
【００５５】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５６】
１  太陽光発電システム
２  商用交流系統
３  宅内負荷
４  表示装置
５  記録媒体
５ａ  コンピュータプログラム
６  年間発電量棒グラフ
８  月間発電量棒グラフ
９  日間発電量棒グラフ
１１  太陽光発電パネル
１２  接続箱
１３  パワーコンディショナ
１４  分電盤
１５  計測部
１６  電力量計
４１  制御部
４２  ＲＯＭ
４３  ＲＡＭ
４４  通信部
４５  記憶部
４６  時計部
４７  表示部
４８  操作部
７１  戻り操作ボタン画像
７２  稼働状況表示ボタン画像
６１，８１  棒
６２，８２  所定領域
６３，６４，８３，８４，９３，９４  数値画像
６３ａ，８３ａ，９３ａ  発電電力量の平均値を示す線分
６４ａ，８４ａ，９４ａ  消費電力量の平均値を示す線分
【図１】
2014166077.tif 000003
【図２】
2014166077.tif 000004
【図３】
2014166077.tif 000005
【図４】
2014166077.tif 000006
【図５】
2014166077.tif 000007
【図６】
2014166077.tif 000008
【図７】
2014166077.tif 000009
【図８】
2014166077.tif 000010